(57)【要約】【課題】この発明は、様々な幅寸法を有する収納ラックを、アンカーボルトを介してコンクリートスラブ上に安定した状態で配置できるとともに、収納ラックＲを入替える際の作業性を向上させることが可能なラック固定装置及びサーバラックを提供する。【解決手段】床スラブＦにアンカーボルト１によって固定される固定レール２と、この固定レール２の長さ方向（矢印ｘ方向）に移動可能に取り付けられたラック固定金具３と、を備え、ラック固定金具３は、固定レール２と交差する方向（矢印ｙ方向）へ延びる平板部４を有し、この平板部４には、サーバＳが収納される収納ラックＲに連結される連結部５が設けられることを特徴とする。【選択図】図１
2019028780.tif 000002
【特許請求の範囲】
【請求項１】
床スラブにアンカーボルトによって固定される固定レールと、
この固定レールの長さ方向に移動可能に取り付けられたラック固定金具と、を備え、
前記ラック固定金具は、前記固定レールと交差する方向へ延びる平板部を有し、
この平板部には、サーバが収納される収納ラックに連結される連結部が設けられることを特徴とするラック固定装置。
【請求項２】
前記固定レールには長さ方向に沿うように複数台の収納ラックが隣接配置されることを特徴とする請求項１に記載のラック固定装置。
【請求項３】
前記アンカーボルトは、床スラブ施工時に、鉄筋内に連結した後、コンクリートを打設することで、該床スラブ内に該床スラブと同一高さで埋設されることを特徴とする請求項１又は２のいずれか1項に記載のラック固定装置。
【請求項４】
前記アンカーボルトは、床スラブに垂直方向に開けた穴に打ち込むことで、該床スラブ上に設置されることを特徴とする請求項１又は２のいずれか1項に記載のラック固定装置。
【請求項５】
前記平板部は、前記床スラブと平行な方向に延び、その上面に収納ラックの底面が接触される水平延長部を有することを特徴とする請求項１〜４のいずれか１項に記載のラック固定装置。
【請求項６】
前記平板部の水平延長部の下面には、前記床スラブとの間の高さを調整するスペーサが介在されることを特徴とする請求項５に記載のラック固定装置。
【請求項７】
前記固定レールは前記収納ラックの前後に間隔をおいて一対配置され、
前記ラック金具は、これら一対の固定レールを接続するように配置されて、前記収納ラックを両持ちとすることを特徴とする請求項１〜６のいずれか１項に記載のラック固定装置。
【請求項８】
前記平板部は、前記床スラブに対して直交する方向に延び、その表面に収納ラック又はその架台の側面が接触される垂直延長部を有することを特徴とする請求項１〜４のいずれか１項に記載のラック固定装置。
【請求項９】
前記連結部は、前記平板部を貫通する貫通孔と、該貫通孔を経由した締結ボルト及びナットにより前記平板部を収納ラックに連結させる締結手段と、からなることを特徴とする請求項１〜８のいずれか１項に記載のラック固定装置。
【請求項１０】
前記連結部は、前記平板部の縁部に形成された切欠きと、該切欠きを経由した締結ボルト及びナットにより前記平板部を収納ラックに連結させる締結手段と、からなることを特徴とする請求項１〜８のいずれか１項に記載のラック固定装置。
【請求項１１】
前記ラック固定金具として、前記平板部に切欠きを形成したＹ字型金具が使用され、該Ｙ字金具によりキャスター付きの収納ラックのレベライザを保持することを特徴とする請求項１０に記載のラック固定装置。
【請求項１２】
請求項１〜１１のいずれか１項に記載のラック固定装置により、床スラブにアンカーボルトによって固定される固定レール上に、サーバが収納される複数の収納ラックが隣接配置されることを特徴とするサーバラック。
【請求項１３】
前記固定レールは、前記床スラブに互いが平行となるように複数対設置され、
前記各対の固定レール上に、前記隣接配置された収納ラックが複数列配置されることを特徴とする請求項１２に記載のサーバラック。
【発明の詳細な説明】
【技術分野】
【０００１】
本発明は、耐震固定のために使用されるラック固定装置、及びラック固定装置により固定されるサーバラックに関する。
【背景技術】
【０００２】
近年の情報化社会では、多大なデータを高速及び効率よく処理を行う電算センターの重大性が日増しに高くなっている。電算センターは、各拠点に分散配置されていた公官庁・企業のＩＣＴ（Information and Communications Technology）機器を集中的に収容するため、高度な安全性と効率性が求められている。
【０００３】
一般的な電算センターでは、下部空間にケーブル及び空調用風路が設置可能なフリーアクセスフロアが設置され、かつこのフリーアクセスフロア上に、複数のサーバが収容されるサーバラックが設置されている。
【０００４】
例えば、特許文献１には、二重床を構成してその上面に電子機器が設置されるフリーアクセスフロアを有し、該フリーアクセスフロアに支持装置を設けた技術が示されている。
そして、この特許文献１の支持装置では、二重床の上床に設けた梁部材に取り付け溝を有する台座部と、該台座部の取り付け溝内に摺動可能に設けられていて前記機器のラックを通してボルトを締め込むことで該機器を固定するねじ穴を備えた固定部と、を備えた構成が示されている。
【先行技術文献】
【特許文献】
【０００５】
【特許文献１】特開２０１７−１４７８３号公報
【発明の概要】
【発明が解決しようとする課題】
【０００６】
特許文献１では、二重床となるフリーアクセスフロア上に電子機器が設置されているが、空調方式の進歩によりフリーアクセスフロアなしで空調が可能となってきている。
しかしながら、特許文献１に示される機器の支持装置では、電子機器を収容するラックが、二重床の上床に設けた梁部材に台座部及び固定部を介在して取り付けられてはいるものの、床スラブに直接、アンカーボルトにて固定する場合には、鉄筋と干渉する、旧アンカーと干渉するなどして、ラックが固定できないという問題があった。
また、特許文献１では、二重床となるフリーアクセスフロアに、電子機器を収容するラックが設置される構成であるので、該フリーアクセスフロアとサーバラック設置面との間に段差が形成され、この段差のために、電子機器搭載済の重量を有するラックの入替えが困難となり、入替え時の作業性が悪くなるという問題も生じていた。
【０００７】
この発明は、上述した事情に鑑みてなされたものであって、様々な幅寸法を有する収納ラックを、アンカーボルトを介してコンクリートスラブ上に安定した状態で配置することができ、かつ収納ラックを入替える際の作業性も向上させることが可能なラック固定装置及びサーバラックを提供する。
【課題を解決するための手段】
【０００８】
上記課題を解決するために、この発明は以下の手段を提案している。
すなわち、本発明のラック固定装置は、床スラブにアンカーボルトによって固定される固定レールと、この固定レールの長さ方向に移動可能に取り付けられたラック固定金具と、を備え、前記ラック固定金具は、前記固定レールと交差する方向へ延びる平板部を有し、この平板部には、サーバが収納される収納ラックに連結される連結部が設けられることを特徴とする。
【発明の効果】
【０００９】
本発明では、様々な幅寸法を有する収納ラックを、アンカーボルトに支持された固定レールを介して床スラブ上に安定した状態で配置できるとともに、収納ラックを入替える際の作業性を向上させることも可能となる。
【図面の簡単な説明】
【００１０】
【図１】本発明に係るラック固定装置の主要部を示す斜視図である。
【図２】本発明の第１実施形態に係るラック固定装置の分解斜視図である。
【図３】（Ａ）は図２のラック固定装置により固定レール上に収納ラックが固定された状態を示す斜視図、（Ｂ）はラック固定金具にＹ字型金具を使用した場合の斜視図である。
【図４】図３の固定レールとスライド部との連結状態を示す断面図であって、（Ａ）は、あと施工アンカーボルトにより固定レールを床スラブ上に露出した状態で配置しかつ取外し可能に設けた例、（Ｂ）は、コンクリート打設前に床スラブ内の鉄筋及び該鉄筋に連結されるアンカーボルトを介して固定レールを配置し、かつ該固定レールの上面が床スラブ仕上げ面と同一となるように設置した例である。
【図５】固定レール上に複数の収納ラックが配置された状態を示す側面図である。
【図６】複数の収納ラックが隣接されたサーバラックが複数列配置された状態を示す平面図である。
【図７】本発明の第２実施形態に係る収納ラックを固定レールの長さ方向から視た正面図であって、（Ａ）は全体図、（Ｂ）はラック固定装置の主要部を拡大した断面図である。
【発明を実施するための形態】
【００１１】
本発明に係るラック固定装置１００について図１を参照して説明する。
このラック固定装置１００は、床スラブＦ内の鉄筋１０にアンカーボルト１を介して固定される固定レール２と、この固定レール２の長さ方向（矢印ｘ方向）に移動可能に取り付けられたラック固定金具３と、を備える。
ラック固定金具３は、固定レール２と交差する水平方向（矢印ｙ方向）へ延びる平板部４を有している。この平板部４には、ＩＣＴ機器となるサーバＳが収納される収納ラックＲに連結される連結部５が設けられている。
【００１２】
そして、以上のように構成されたラック固定装置１００では、床スラブＦ上にアンカーボルト１によって固定された固定レール２に、該固定レール２の長さ方向（矢印ｘ方向）に沿うように移動可能にラック固定金具３を取り付けるようにした。
さらに、上記ラック固定装置１００では、ラック固定金具３にて、固定レール２と交差する方向（矢印ｙ方向）へ延びる平板部４と、該平板部４上の連結部５とを介して、サーバＳが収容される収納ラックＲを固定するようにした。
【００１３】
これにより、本発明のラック固定装置１００では、床スラブＦ内の鉄筋１０にアンカーボルト１によって固定された固定レール２に、ラック固定金具３を介して、様々な幅寸法を有するサーバ用の収納ラックＲを複数台固定することができる。
その際、各収納ラックＲは、ラック固定金具３を介して、アンカーボルト１で固定された固定レール２の長さ方向（矢印ｘ方向）に移動自在に設けられることから、それぞれの収納ラックＲ毎にアンカーボルト１を連結する必要がない。このため、床スラブＦ内の鉄筋１０が干渉しない任意の位置に、旧アンカーボルトとの干渉を防ぎつつ、新たなアンカーボルト１をあと施工することができる。
これにより、本発明では、様々な幅寸法を有する収納ラックＲを、アンカーボルト１に支持された固定レール２を介して床スラブＦ上に安定した状態で配置できるとともに、収納ラックＲを入替える際の作業性も向上させることも可能となる。
【００１４】
（第１実施形態）
本発明の第１実施形態に係るラック固定装置１０１について図２〜図６を参照して説明する。
【００１５】
このラック固定装置１０１は、図２及び図３（Ａ）に示されるように、床スラブＦ内の鉄筋１０（図２参照）にアンカーボルト１１によって固定された固定レール１２と、この固定レール１２の長さ方向（矢印ｘ方向）に移動可能に取り付けられたラック固定金具１３と、を備えたものである。
固定レール１２は、断面視Ｃ字状に形成されて上側に開口が形成されたレール部材１２Ａと、該レール部材１２Ａに溶接固定されてアンカーボルト１１により固定される板状部材１２Ｂとを有するものであって、これらレール部材１２Ａと板状部材１２Ｂとは溶接により一体化されている。
【００１６】
固定レール１２を保持するためのアンカーボルト１１／１１´としては、床スラブＦに垂直方向に開けた穴に打ち込まれたスリーブ１１Ａにねじ込むことで、床スラブＦ上に設置されるあと施工アンカーボルトが使用される他、床スラブＦの施工時に、鉄筋１０に連結した後、コンクリートを打設することで、該床スラブＦ内に埋設される埋込み施工アンカーボルトが使用される。
なお、後者の埋込み施工アンカーボルトでは、床スラブＦ内に埋設後の最上部が、床スラブ仕上げ面と同一高さとなるように設置されている。
【００１７】
例えば、図４（Ａ）では、あと施工アンカーボルト１１により、固定レール１２を床スラブＦ上に露出した状態で配置しかつ適宜取外し可能に設けられる例が示されている。
また、図４（Ｂ）では、コンクリート打設前に床スラブＦ内の鉄筋１０及び該鉄筋１０に連結される埋込み施工アンカーボルト１１´を介して固定レール１２を配置し、かつ該固定レール１２の上面が床スラブ仕上げ面と同一となるように設置した例が示されている。
また、この図４（Ｂ）では、埋込み施工アンカーボルト１１´で固定されたラック固定金具１３が、締結手段２１（後述する）を介してキャスター５０付きの収納ラックＲに連結された例が示されている。
【００１８】
固定レール１２は、図２に示されるように、固定レール１２の長さ方向（矢印ｘ方向）と交差する水平方向（矢印ｙ方向）に間隔をおいて、平行となるように２本設置されており、これら１対（２本）の固定レール１２に、複数の収納ラックＲが長さ方向（矢印ｘ方向）に隣接配置されている（図３（Ａ）、図５、図６参照）。
【００１９】
なお、以下の説明において、前後１対の固定レール１２に複数台の収納ラックＲが隣接配置されたものを、サーバラック２００と表現する。
また、このサーバラック２００は、図６に示されるように、固定レール１２の長さ方向（矢印ｘ方向）と交差する水平方向（矢印ｙ方向）に間隔をおいて、複数列設けられている。
【００２０】
ラック固定金具１３は、１つの収納ラックＲに対して４つ設置されており、各側の固定レール１２に２個ずつ設置されている。
各ラック固定金具１３は、固定レール１２と交差する水平方向（矢印ｙ方向）へ延びる平板部１４を有している。
この平板部１４は、固定レール１２のレール部材１２Ａ内を移動するスライド部材１５（図２及び図４参照）が締結具１６Ａにより締結支持されるスライド部１６と、サーバＳが複数収納される収納ラックＲに連結される連結部１７と、これらスライド部１６と連結部１７の間を斜めに連結する段差部１８とを有している。このような構成により、ラック固定金具１３の平板部１４は、全体としてＺ型に形成されている。
なお、図４（Ｂ）では、ラック固定金具１３が、締結手段２１（後述する）を介してキャスター５０付きの収納ラックＲに連結された例が示されているが、キャスター５０の無い収納ラックＲである場合には、ラック固定金具１３の全体形状は、段差部が無い平板状のラック固定金具１３を使用する。
【００２１】
さらに、ラック固定金具１３の平板部１４における連結部１７は、固定レール１２と交差する水平方向（矢印ｙ方向）へ延びる水平延長部２０を形成しており、該水平延長部２０を貫通する貫通孔（図示略）に、収納ラックＲを締結するための締結手段２１が設置される。
この締結手段２１は、図２に詳細に示されるように、締結ボルト２２Ａ・締結ナット２２Ｂ・絶縁ブッシング２２Ｃとともに、これら締結ボルト２２Ａ・締結ナット２２Ｂ・絶縁ブッシング２２Ｃにより保持される押え板２３、絶縁板２４、スラブ上で締結ボルト２２Ａを介して収納ラックＲの荷重を受ける板材２５を有している。
押え板２３は、締結ナット２２Ｂと収納ラックＲとの間に位置して、該締結ナット２２Ｂによる締結力を、収納ラックＲ及びラック固定金具１３の平板部１４に伝達させるために設けられている。絶縁板２４は、収納ラックＲ内のサーバＳと固定レール１２との電気的導通を遮断するために設けられている。前記板材２５への締結ボルト２２Ａのねじ込み長さの調整、板材２５自身の厚さの変更（あるいはこれらの併用）により、締結ボルト２２Ａの下方への突出量を調整することにより、収納ラックＲの水平レベルを調整するレベライザの機能を果たすようになっている。
【００２２】
そして、以上のようなラック固定金具１３は、サーバＳが固定される収納ラックＲの大きさに応じて、その平板部１４の長さを適宜変更（金具を交換する）することにより、各種サイズの収納ラックＲに対応することができ、サイズに関係なく収納ラックＲを固定レール１２上に隣接配置することが可能となる。
【００２３】
そして、以上のように構成された第１実施形態のラック固定装置１０１では、床スラブＦ上にアンカーボルト１１によって固定された固定レール１２に、該固定レール１２の長さ方向（矢印ｘ方向）に沿うように移動可能にラック固定金具１３を取り付けるようにした。さらに、上記ラック固定装置１０１では、ラック固定金具１３に、固定レール１２と交差する方向（矢印ｙ方向）へ延びる平板部１４と、該平板部１４上の連結部１７とを介して、サーバＳが収容される収納ラックＲを固定するようにした。
【００２４】
これにより、第１実施形態のラック固定装置１０１では、床スラブＦ内の鉄筋１０にアンカーボルト１１により固定された固定レール１２に、ラック固定金具１３を介して、様々な幅寸法を有するサーバ用の収納ラックＲを複数台固定することができる。
その際、各収納ラックＲは、ラック固定金具１３を介して、アンカーボルト１１で固定された固定レール１２の長さ方向（矢印ｘ方向）に移動自在に設けられることから、それぞれの収納ラックＲ毎にアンカーボルト１１を連結する必要がない。
これにより、第１実施形態では、様々な幅寸法を有する収納ラックＲを、アンカーボルト１１に支持された固定レール１２を介して床スラブＦ上に安定した状態で配置できるとともに、収納ラックＲを入替え時の作業性を向上させることも可能となる。
【００２５】
また、第１実施形態のラック固定装置１０１では、サーバＳが収納される収納ラックＲの大きさに応じて、最適な長さの平板部１４を有するラック固定金具１３を選択して取替えることにより、各種サイズの収納ラックＲに対応することができ、サイズに関係なく収納ラックＲを固定レール１２上に隣接配置することが可能となる。
【００２６】
なお、第１実施形態のラック固定装置１０１では、締結手段２１の締結ボルト２２Ａを、ラック固定金具１３の平板部１４に形成された貫通孔（図示略）を経由させることで、該平板部１４に締結するようにしたが、これに限定されず、図３（Ａ）に符号１４Ａに示すように、平板部１４の縁部に形成された切欠きに締結しても良い。
より具体的には、図３（Ｂ）に示されるように、ラック固定金具１３の平板部１４に、締結手段２１の締結ボルト２２Ａを挟み込むＹ字状（先端が二股状に開口していて軸と交差する方向から締結ボルト２２Ａを受け入れることができる形状をいう）の凹部１４Ａ´を形成し（すなわちＹ字型のラック固定金具を使用する）、この凹部１４Ａ´にレベライザとなる締結手段２１を締結しても良い。
このようなＹ字型のラック固定金具は、図３（Ｂ）に示されるようなキャスター５０付きの収納ラックＲを保持する際に最適である。
そして、このような平板部１４の縁部に形成された切欠き１４Ａ（凹部１４Ａ´）に、締結手段２１の締結ボルト２２Ａを締結することにより、収納ラックＲの取付作業性が向上する。
【００２７】
また、上記実施形態では、各側の固定レール１２毎にラック固定金具１３を設置しているが、これに限定されず、前後の固定レール１２を接続するように両持ちのラック固定金具１３を使用して、１つのラック金具１３を介して、収納ラックＲを２本の固定レール１２に連結しても良い。
また、前記固定レール１２は、ラックＲの重量、あるいは想定される地震等の加速度に応じてラックＲの支持に必要とされる強度に応じて、ラックＲの前後に設けてラックＲを両側から固定するようにしても良い。
【００２８】
（第２実施形態）
本発明の第２実施形態に係るラック固定装置１０２について図７を参照して説明する。第２実施形態に係るラック固定装置１０２が、第１実施形態に係るラック固定装置１０１と構成を異にするのは、収納ラックＲを固定レール１２に固定するためのラック固定金具の形状である。
【００２９】
すなわち、第１実施形態では、図２に示されるように、ラック固定金具１３の平板部１４に形成される連結部１７が、固定レール１２と交差する水平方向（矢印ｙ方向）へ延びる水平延長部２０を形成している。
これに対して、第２実施形態では、図７に示されるように、ラック固定金具３０の平板部３１に形成される連結部３２が折れ曲がって、床スラブＦに対して直交する方向（矢印ｚ方向）に延びる垂直延長部３３を形成している。これにより、ラック固定金具３０の平板部３１の形状は全体としてＬ型に形成されている。
この垂直延長部３３にて収納ラックＲの架台４０の側面が接触され、締結手段３４を介して架台４０の側面部に締結される。
すなわち、第２実施形態のラック固定金具３０は、平板部３１を介して、床スラブＦにアンカーボルト１１によって固定された固定レール１２と、収納ラックＲを載置する架台４０の側面部とを互いに連結する。
【００３０】
ここで、ラック固定金具３０の平板部３１が連結される架台４０は、収納ラックＲを載置及び固定するために設置されているが、状況によっては架台４０を廃止して、ラック固定金具３０の平板部３１に形成される垂直延長部３３を、収納ラックＲの側面に直接、連結しても良い。
また、架台４０上に配置される収納ラックＲの下面には、図７に示されるように、移動を容易にするためのキャスター４１とともに、架台４０上面に載置後の収納ラックＲが移動することを防止するためのボルト等の固定手段４２が設けられている。
また、上記架台４０は、中空状に形成されていることから、矢印Ｃ１，Ｃ２で示されるように、下方から空調機から供給された冷気を吸い込む形態の収納ラックＲに使用すれば、該収納ラックＲに搭載されるサーバの冷却効率をより向上させることが可能となる。また、架台４０内部のスペースを利用してケーブルを敷設した場合には、ラックＲの下部から内部にケーブルを引き込むことができる。
【００３１】
以上詳細に説明したように第２実施形態のラック固定装置１０２では、床スラブＦ上にアンカーボルト１１によって固定された固定レール１２に、Ｌ字型のラック固定金具３０を介して、様々な幅寸法を有するサーバ用の収納ラックＲ又はその載置台となる架台４０を固定することができる。
その際、各収納ラックＲは、ラック固定金具３０を介して、アンカーボルト１１で固定された固定レール１２の長さ方向（矢印ｘ方向）に移動可能に設けられることから、それぞれの収納ラックＲ毎にアンカーボルト１１を連結する必要がない。
これにより、第２実施形態では、第１実施形態と同様、様々な幅寸法を有する収納ラックＲを、アンカーボルト１１に支持された固定レール１２を介して床スラブＦ上に安定した状態で配置できるとともに、収納ラックＲを入替える際の作業性を向上させることも可能となる。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、電算センターにて耐震固定のために使用されるラック固定装置、及びラック固定装置により固定されるサーバラックに関する。
【符号の説明】
【００３４】
１  アンカーボルト
２  固定レール
３  ラック固定装置
４  平板部
５  連結部
１０  鉄筋
１１  アンカーボルト
１１´アンカーボルト
１１Ａ  スリーブ
１２  固定レール
１３  ラック固定装置
１４  平板部
１５  連結部
２０  水平延長部
３３  垂直延長部
１００  ラック固定装置
１０１  ラック固定装置
１０２  ラック固定装置
２００  サーバラック
Ｒ  収納ラック
Ｆ  床スラブ
Ｓ  サーバ
【図１】
2019028780.tif 000003
【図２】
2019028780.tif 000004
【図３】
2019028780.tif 000005
【図４】
2019028780.tif 000006
【図５】
2019028780.tif 000007
【図６】
2019028780.tif 000008
【図７】
2019028780.tif 000009